(57)【要約】【課題】照射面での光量の均一性を向上させることが可能な光源装置を提供する。【解決手段】複数の発光ダイオード２を平面上に配列した光源装置１であって、各発光ダイオード２の配光角が、５０°未満、あるいは８０°より大きい。【選択図】図４
2020061344.tif 000002
【特許請求の範囲】
【請求項１】
複数の発光ダイオードを平面上に配列した光源装置であって、
前記各発光ダイオードの配光角が、５０°未満、あるいは８０°より大きい、
光源装置。
【請求項２】
前記各発光ダイオードの配光角が５０°未満であり、
前記各発光ダイオードから、前記平面と平行な面であって前記各発光ダイオードからの光が照射される照射面までの、前記平面に垂直な方向に沿った光学的距離が、２００ｍｍ以下である、
請求項１に記載の光源装置。
【請求項３】
前記各発光ダイオードの配光角が５０°未満であり、
前記発光ダイオードの前記径方向の配置ピッチが、８．５ｍｍ以上２０ｍｍ未満である、
請求項１または２に記載の光源装置。
【請求項４】
前記各発光ダイオードの配光角が８０°より大きく、
前記各発光ダイオードから、前記平面と平行な面であって前記各発光ダイオードからの光が照射される照射面までの、前記平面に垂直な方向に沿った光学的距離が、８０ｍｍ以上である、
請求項１に記載の光源装置。
【請求項５】
前記各発光ダイオードの配光角が８０°より大きく、
前記発光ダイオードの前記径方向の配置ピッチが、８．５ｍｍ以上２０ｍｍ以下である、
請求項１または４に記載の光源装置。
【請求項６】
前記複数の発光ダイオードは、前記平面に垂直な中心軸を中心とした周方向及び径方向に等間隔に配置されている、
請求項１乃至５の何れか１項に記載の光源装置。
【発明の詳細な説明】
【技術分野】
【０００１】  本発明は、光源装置に関する。
【背景技術】
【０００２】  従来、複数の発光ダイオードを平面上に配列した光源装置が知られている（例えば、特許文献１参照）。例えば、紫外線を発光する発光ダイオードを用いた光源装置は、水等の流体を殺菌する（細菌を不活化する）流体殺菌装置や、紫外線硬化樹脂を硬化させる樹脂硬化装置に用いられている。
【先行技術文献】
【特許文献】
【０００３】
【特許文献１】特許第５７３２１５７号公報
【発明の概要】
【発明が解決しようとする課題】
【０００４】  上述の殺菌装置や樹脂硬化装置等に用いられる光源装置では、例えば、殺菌をもれなく行う、あるいは樹脂を均一に硬化させるといった目的のために、発光ダイオードからの光を照射する照射面において、均一な光を照射することが望まれる場合がある。【０００５】  そこで、本発明は、照射面での光量の均一性を向上させることが可能な光源装置を提供することを目的とする。
【課題を解決するための手段】
【０００６】  本発明は、上記課題を解決することを目的として、複数の発光ダイオードを平面上に配列した光源装置であって、前記各発光ダイオードの配光角が、５０°未満、あるいは８０°より大きい、光源装置を提供する。
【発明の効果】
【０００７】  本発明によれば、照射面での光量の均一性を向上させることができる。
【図面の簡単な説明】
【０００８】
【図１】本発明の一実施の形態に係る光源装置の概略構成図である。
【図２】（ａ），（ｂ）は配光角２０°の発光ダイオードの相対光度と角度との関係を示すグラフ図であり、（ｃ），（ｄ）は配光角２０°の発光ダイオードの相対光度と角度との関係を示すグラフ図である。
【図３】（ａ）は発光ダイオードの配置を示す図であり、（ｂ）〜（ｄ）は配光角毎の光量分布のシミュレーション結果を示す図である。
【図４】光量がピーク値の６０％あるいは８０％となる中心からの距離と配光角との関係を示すグラフ図である。
【図５】（ａ）〜（ｅ）は、配光角を２０°とした場合において、発光ダイオードから照射面までの光学的距離を変化させた際の光量分布のシミュレーション結果を示す図である。
【図６】（ａ）〜（ｅ）は、図５（ａ）〜（ｅ）のそれぞれにおいて、中心軸を通る断面での光量分布を示すグラフ図である。
【図７】配光角を２０°とした場合において、光量がピーク値の６０％あるいは８０％となる中心からの距離と、発光ダイオードから照射面までの光学的距離との関係を示すグラフ図である。
【図８】（ａ）〜（ｅ）は、配光角を１４０°とした場合において、発光ダイオードから照射面までの光学的距離を変化させた際の光量分布のシミュレーション結果を示す図である。
【図９】（ａ）〜（ｅ）は、図８（ａ）〜（ｅ）のそれぞれにおいて、中心軸を通る断面での光量分布を示すグラフ図である。
【図１０】配光角を１４０°とした場合において、光量がピーク値の６０％あるいは８０％となる中心からの距離と、発光ダイオードから照射面までの光学的距離との関係を示すグラフ図である。
【図１１】（ａ）〜（ｅ）は、ＬＥＤピッチを変化させた際の各発光ダイオードの配置を説明する図である。
【図１２】（ａ）〜（ｅ）は、配光角を２０°とした場合において、ＬＥＤピッチを変化させた際の光量分布のシミュレーション結果を示す図である。
【図１３】（ａ）〜（ｅ）は、図１２（ａ）〜（ｅ）のそれぞれにおいて、中心軸を通る断面での光量分布を示すグラフ図である。
【図１４】（ａ）は、配光角を２０°とした場合において、光量がピーク値の６０％あるいは８０％となる中心からの距離と、ＬＥＤピッチとの関係を示すグラフ図であり、（ｂ）は、ＬＥＤピッチと面内光量分布比との関係を示すグラフ図である。
【図１５】（ａ）〜（ｅ）は、配光角を１４０°とした場合において、ＬＥＤピッチを変化させた際の光量分布のシミュレーション結果を示す図である。
【図１６】（ａ）〜（ｅ）は、図１５（ａ）〜（ｅ）のそれぞれにおいて、中心軸を通る断面での光量分布を示すグラフ図である。
【図１７】（ａ）は、配光角を１４０°とした場合において、光量がピーク値の６０％あるいは８０％となる中心からの距離と、ＬＥＤピッチとの関係を示すグラフ図であり、（ｂ）は、ＬＥＤピッチと面内光量分布比との関係を示すグラフ図である。
【図１８】（ａ）〜（ｇ）は、発光ダイオードの使用数を変化させた際の各発光ダイオードの配置を説明する図である。
【図１９】（ａ）は、配光角を２０°とした場合において、中心軸を通る断面での光量分布のシミュレーション結果を示すグラフ図であり、（ｂ）は、（ａ）の横軸を光源領域の半径で規格化したグラフ図である。
【図２０】（ａ）は、配光角を１４０°とした場合において、中心軸を通る断面での光量分布のシミュレーション結果を示すグラフ図であり、（ｂ）は、（ａ）の横軸を光源領域の半径で規格化したグラフ図である。
【発明を実施するための形態】
【０００９】［実施の形態］
以下、本発明の実施の形態を添付図面にしたがって説明する。
【００１０】  図１は、本実施の形態に係る光源装置の概略構成図である。図１に示すように、光源装置１は、複数の発光ダイオード２を平面上に配列した装置である。
【００１１】  ここでは、発光ダイオード２として、発光ダイオードチップを樹脂封止した樹脂封止型のものを用いる場合を示しているが、発光ダイオード２の具体的な構成はとくに限定されるものではない。例えば、発光ダイオード２は、発光ダイオードチップを中空パッケージにガラス等で蓋をすることにより封入したものであってもよいし、チップオンボードのようなチップを覆うものがないものであってもよい。また、発光ダイオード２の発光波長についても、特に限定されるものではない。
【００１２】  複数の発光ダイオード２は、複数の発光ダイオード２が配置されている平面に対して垂直な中心軸Ｃを中心として、周方向及び径方向に等間隔に配置されている。以下、径方向における発光ダイオードの配置ピッチをＬＥＤピッチと呼称する。具体的な発光ダイオード２の数や、好適な配置ピッチ等については、後に検討する。
【００１３】  また、光源装置１からの光が照射される照射面３は、複数の発光ダイオード２が配置されている平面に対して平行な面であるとする。以下、各発光ダイオード２から照射面３までの、上記平面に垂直な方向（照射面３に垂直な方向）に沿った光学的距離を、Ｄとする。光学的距離とは、光が進む経路に沿った距離をｄ、光が通過する媒体の屈折率をｎとしたとき、Ｄ＝ｄ×ｎで表されるものである。光源装置１からの光が照射される対象物については、特に限定されず、気体、液体、あるいは固体のいずれであってもよい。
【００１４】（好適な配光角の検討）
本実施の形態に係る光源装置１では、各発光ダイオード２の配光角を、５０°未満、あるいは８０°より大きくする。以下、その理由について説明する。
【００１５】  配光角は、指向角とも呼ばれるものであり、発光ダイオード２の光強度（光量）がピーク値あるいは最大値の半分以上となる角度範囲である。配光角の測定は、発光ダイオード２からの距離を一定に維持しつつ受光器を移動させ、各角度での光強度を測定することにより行う。例えば、図２（ａ），（ｂ）に示すように、配光角２０°の発光ダイオード２では、発光ダイオード２の正面を０°とした場合、プラスマイナス１０°の角度範囲が、ピーク値の半分以上の光強度が得られる領域となる。同様に、図２（ｃ），（ｄ）に示すように、配光角１４０°の発光ダイオード２では、発光ダイオード２の正面を０°とした場合、プラスマイナス７０°の角度範囲が、最大値の半分以上の光強度が得られる領域となる。なお、本明細書において、ピーク値は正面（０°）での光強度、最大値は光強度が最大となる値を表すものとする。
【００１６】  なお、発光ダイオード２において、配光角を調整する手段については、特に限定するものではない。例えば、凹面鏡形状のリフレクタ等の反射機構を有していてもよいし、レンズ等の透過型の集光機構を有していてもよい。以下のシミュレーションでは、全ての発光ダイオード２の配光角が同じであると仮定するが、製造上の公差等による多少の誤差は許容される。
【００１７】  以下、図３（ａ）に示すように、中心に１つの発光ダイオード２を配置すると共に、ＬＥＤピッチ（径方向における配置ピッチ）を１０ｍｍとし、直径６０ｍｍの範囲に発光ダイオード２を配置した場合について検討する。直径１０ｍｍの円周上には６個、直径２０ｍｍの円周上には１２個、直径３０ｍｍの円周上には１８個、直径４０ｍｍの円周上には２４個、直径５０ｍｍの円周上には３０個、直径６０ｍｍの円周上には３６個の発光ダイオード２がそれぞれ周方向に等間隔に配置されており、合計１２７個の発光ダイオード２が用いられている。光源領域の半径、すなわち発光ダイオード２が配置されている領域の半径は、６０ｍｍとなる。
【００１８】  図３（ａ）のように発光ダイオード２を配置した場合について、各発光ダイオード２の配光角を変化させて、照射面３での光量分布をシミュレーションした。配光角を２０°、５０°、及び１４０°とした場合における照射面での光量分布は、図３（ｂ）〜（ｄ）のようになる。図３（ｂ）〜（ｄ）では、光量分布を三次元表示したグラフと併せて、中心軸Ｃを通る断面における光量の分布のグラフも併せて示している。なお、発光ダイオード２と照射面３との光学的距離Ｄは１００ｍｍとした。また、配光角を異ならせた場合であっても、１つの発光ダイオード２の明るさ（発光される全体の光量）は一定であるとして、シミュレーションを行った。各配光角での演算結果をまとめて図４に示す。
【００１９】  ここで、照射面３での光量分布の均一性を評価する指標について説明しておく。水殺菌あるいは樹脂硬化などの光源の均一性が必要な応用において、紫外光の光出力を増加させると、水殺菌あるいは樹脂硬化性能（効果性能）は、単に光出力の増加に応じて向上するだけでなく、光が照射される領域（深度）が増すことにより光出力を増加させた以上に向上する。そのために、効果性能の均一性を６７％（光量の均一性１．５倍以内）得ようとすると、光源には少なくとも８０％以上の均一性が必要となり、効果性能の均一性を５０％（光量の均一性２．０倍以内）得ようとすると、光源には少なくとも６０％以上の均一性が必要となる。
【００２０】  そこで、本実施の形態では、照射面３での光量分布の均一性を評価する指標として、「光量がピーク値の８０％となる中心からの距離」、及び、「光量がピーク値の６０％となる中心からの距離」を用いた。なお、ここでいう「中心」とは、発光ダイオード２が配置されている領域の中心、すなわち中心軸Ｃの位置を意味する。これらの距離の値が大きいほど、照射面３の広い範囲が均一に照射されていることとなり、照射面３にて良好な光量の均一性が得られていることになる。
【００２１】  図４に示すように、配光角が小さい領域、及び大きい領域については良好な結果が得られている。しかし、その中間領域、すなわち配光角を５０°、６０°、及び８０°とした場合には、「光量がピーク値の８０％となる中心からの距離」、及び「光量がピーク値の６０％となる中心からの距離」が低下し、照射面３での光量の均一性が低下していることが分かる。
【００２２】  本実施の形態では、光源領域の半径が６０ｍｍである場合、「光量がピーク値の８０％となる中心からの距離」が４４ｍｍ以上となる場合に、照射面３での光量の均一性について合格であるとする。図４に示すように、配光角が５０°未満、もしくは８０°より大きい場合に、「光量がピーク値の８０％となる中心からの距離」が４４ｍｍ以上となり、照射面３における光量の均一性が向上している。そこで、本実施の形態に係る光源装置１においては、各発光ダイオード２の配光角を、５０°未満、あるいは８０°より大きく設定した。
【００２３】  また、図４のグラフより、「光量がピーク値の８０％となる中心からの距離」が４４ｍｍ以上となる場合、「光量がピーク値の６０％となる中心からの距離」は、配光角５０°未満の領域では５８ｍｍ以上、配光角８０°超の領域では６０ｍｍ以上に対応することになる。よって、配光角が５０°未満の場合には、「光量がピーク値の６０％となる中心からの距離」が５８ｍｍ以上であること、配光角が８０°より大きい場合には、「光量がピーク値の６０％となる中心からの距離」が６０ｍｍ以上であることを、合格の基準に設定した。
【００２４】（発光ダイオード２と照射面３との光学的距離Ｄの検討）
まず、発光ダイオード２の配光角を５０°未満とした場合において、好適な光学的距離Ｄについて検討する。発光ダイオード２の配光角を２０°とし、発光ダイオード２と照射面３との光学的距離Ｄを５０ｍｍ、８０ｍｍ、１００ｍｍ、１５０ｍｍ、及び２００ｍｍとした場合の照射面３での光量分布をシミュレーションにより求めた。シミュレーション結果を図５（ａ）〜（ｅ）に示す。また、それぞれの場合の中心軸Ｃを通る断面での光量分布を図６（ａ）〜（ｅ）に示す。
【００２５】  また、図６（ａ）〜（ｅ）より、「光量がピーク値の６０％となる中心からの距離」、及び「光量がピーク値の８０％となる中心からの距離」を演算した結果を、図７にまとめて示す。図７に示すように、「光量がピーク値の６０％となる中心からの距離」は、いずれの場合も合格基準の５８ｍｍ以上となっている。また、図７に示すように、「光量がピーク値の８０％となる中心からの距離」についても、いずれの場合も合格基準の４４ｍｍ以上となっている。ただし、図７の傾向から、「光量がピーク値の６０％となる中心からの距離」、及び「光量がピーク値の８０％となる中心からの距離」は、光学的距離Ｄが増加するほど低下しており、光学的距離Ｄが２００ｍｍを超えると、合格基準を下回ると考えられる。
【００２６】  よって、各発光ダイオード２の配光角が５０°未満である場合、各発光ダイオード２から照射面３までの光学的距離Ｄは、２００ｍｍ以下であることが望ましい。
【００２７】  次に、発光ダイオード２の配光角を８０°より大きくした場合において、好適な光学的距離Ｄについて検討する。発光ダイオード２の配光角を１４０°とし、発光ダイオード２と照射面３との光学的距離Ｄを５０ｍｍ、８０ｍｍ、１００ｍｍ、１５０ｍｍ、及び２００ｍｍとした場合の照射面３での光量分布をシミュレーションにより求めた。シミュレーション結果を図８（ａ）〜（ｅ）に示す。また、それぞれの場合の中心軸Ｃを通る断面での光量分布を図９（ａ）〜（ｅ）に示す。
【００２８】  また、図９（ａ）〜（ｅ）より、「光量がピーク値の６０％となる中心からの距離」、及び「光量がピーク値の８０％となる中心からの距離」を演算した結果を、図１０にまとめて示す。図１０に示すように、「光量がピーク値の６０％となる中心からの距離」、及び「光量がピーク値の８０％となる中心からの距離」は、光学的距離Ｄが５０ｍｍの場合に不合格となっており、光学的距離Ｄが８０ｍｍ以上の場合に合格となっている。
【００２９】  よって、各発光ダイオード２の配光角が８０°より大きい場合、各発光ダイオード２から照射面３までの光学的距離Ｄは、８０ｍｍ以上であることが望ましい。
【００３０】（ＬＥＤピッチの検討）
次に、ＬＥＤピッチ、すなわち発光ダイオード２の径方向における配置ピッチについて検討する。ここでは、図１１（ａ）〜（ｅ）に示すように、ＬＥＤピッチを８．５ｍｍ、１０ｍｍ、１２ｍｍ、１５ｍｍ、及び２０ｍｍとした場合について検討を行った。いずれの場合も、発光ダイオード２を配置する領域（光源領域）は直径６０ｍｍで一定とし、配置する発光ダイオード２の数を増減して密度を調整することによって、ＬＥＤピッチを調整した。発光ダイオード２の使用数は、ＬＥＤピッチ８．５ｍｍの場合１６９個、ＬＥＤピッチ１０ｍｍの場合１２７個、ＬＥＤピッチ１２ｍｍの場合９１個、ＬＥＤピッチ１５ｍｍの場合６１個、ＬＥＤピッチ２０ｍｍの場合３７個である。これらは発光ダイオード２の総数が異なるため、シミュレーションは総光量が同じとして行った。
【００３１】  まず、発光ダイオード２の配光角を５０°未満とした場合について検討する。発光ダイオード２の配光角を２０°とし、ＬＥＤピッチを８．５ｍｍ、１０ｍｍ、１２ｍｍ、１５ｍｍ、及び２０ｍｍとした場合の照射面３での光量分布をシミュレーションにより求めた。シミュレーション結果を図１２（ａ）〜（ｅ）に示す。また、それぞれの場合の中心軸Ｃを通る断面での光量分布を図１３（ａ）〜（ｅ）に示す。
【００３２】  また、図１３（ａ）〜（ｅ）より、「光量がピーク値の６０％となる中心からの距離」、及び「光量がピーク値の８０％となる中心からの距離」を演算した結果を、図１４（ａ）にまとめて示す。図１４（ａ）に示すように、「光量がピーク値の６０％となる中心からの距離」は、いずれの場合も合格基準の５８ｍｍ以上となっている。また、図１４（ａ）に示すように、「光量がピーク値の８０％となる中心からの距離」についても、いずれの場合も合格基準の４４ｍｍ以上となっている。また、図１４（ａ）の傾向から、ＬＥＤピッチが８．５ｍｍ未満となると、「光量がピーク値の６０％となる中心からの距離」が合格値である５８ｍｍを下回ると考えられる。よって、各発光ダイオード２の配光角が５０°未満である場合、ＬＥＤピッチは８．５ｍｍ以上であることが望ましいといえる。
【００３３】  ここで、図１２（ａ）〜（ｅ）のシミュレーション結果を参照すると、ＬＥＤピッチが大きくなるほど照射面３内での光量のばらつきが大きくなっていることがわかる。そこで、この光量のばらつきを評価するために、評価基準として照射面３の面内光量分布比を用いた。面内光量分布比は、図１３（ａ）〜（ｅ）の光量分布において、ピーク値と、ピーク直近の光量の落ち込みにおけるボトム値を用い、ボトム値／ピーク値により演算した。本実施の形態では、面内光量分布比が８０％（０．８）以上であることを、合格基準とした。
【００３４】  面内光量分布比の演算結果をまとめて図１４（ｂ）に示す。図１４（ｂ）に示すように、ＬＥＤピッチを２０ｍｍとした場合には、面内光量分布比が８０％を下回っていることが分かる。よって、ＬＥＤピッチは、２０ｍｍ未満、より好ましくは１５ｍｍ以下とすることが望ましいといえる。
【００３５】  以上の結果より、各発光ダイオード２の配光角が５０°未満である場合、ＬＥＤピッチは８．５ｍｍ以上２０ｍｍ未満、より好ましくは８．５ｍｍ以上１５ｍｍ以下とすることが望ましい。
【００３６】  次に、発光ダイオード２の配光角を８０°より大きくした場合について検討する。発光ダイオード２の配光角を１４０°とし、ＬＥＤピッチを８．５ｍｍ、１０ｍｍ、１２ｍｍ、１５ｍｍ、及び２０ｍｍとした場合の照射面３での光量分布をシミュレーションにより求めた。シミュレーション結果を図１５（ａ）〜（ｅ）に示す。また、それぞれの場合の中心軸Ｃを通る断面での光量分布を図１６（ａ）〜（ｅ）に示す。
【００３７】  また、図１６（ａ）〜（ｅ）より、「光量がピーク値の６０％となる中心からの距離」、及び「光量がピーク値の８０％となる中心からの距離」を演算した結果を、図１７（ａ）にまとめて示す。図１７（ａ）に示すように、「光量がピーク値の６０％となる中心からの距離」は、いずれの場合も合格基準の６０ｍｍ以上となっている。また、図１７（ａ）に示すように、「光量がピーク値の８０％となる中心からの距離」についても、いずれの場合も合格基準の４４ｍｍ以上となっている。また、図１７（ａ）の傾向から、ＬＥＤピッチが８．５ｍｍを大きく下回ると、「光量がピーク値の６０％となる中心からの距離」、及び「光量がピーク値の８０％となる中心からの距離」が合格値を下回ると考えられる。よって、各発光ダイオード２の配光角が８０°より大きい場合、ＬＥＤピッチは８．５ｍｍ以上であることが望ましいといえる。
【００３８】  また、図１６（ａ）〜（ｅ）の各光量分布において、面内光量分布比を求めた。面内光量分布比の演算結果をまとめて図１７（ｂ）に示す。図１７（ｂ）に示すように、この例では、ＬＥＤピッチにかかわらず良好な結果が得られている。また、図１７（ｂ）の傾向から、ＬＥＤピッチが２０ｍｍを大きく上回ると、面内光量分布比が合格値を下回ると考えられる。よって、ＬＥＤピッチは、２０ｍｍ以下とすることが望ましいといえる。
【００３９】  以上の結果より、各発光ダイオード２の配光角が８０°より大きい場合、ＬＥＤピッチは８．５ｍｍ以上２０ｍｍ以下とすることが望ましい。
【００４０】（発光ダイオード２の使用数の検討）
次に、ＬＥＤピッチを一定とし、使用する発光ダイオード２の数を変えた場合について検討する。ここでは、図１８（ａ）〜（ｇ）に示すように、ＬＥＤピッチを１０ｍｍで一定とし、中心の発光ダイオード２の周囲に円状に配置する発光ダイオード２を、１周、２周、３周、４周、５周、６周、及び７周とした場合について検討した。使用される発光ダイオード２の数は、１周の場合７個、２周の場合１９個、３周の場合３７個、４周の場合６１個、５周の場合９１個、６周の場合１２７個、７周の場合１６９個である。
【００４１】  配光角を２０°とした場合について、中心軸Ｃを通る断面での光量分布をシミュレーションにより求めた。シミュレーション結果を図１９（ａ）にまとめて示す。なお、図１９（ａ）では、縦軸をピーク値で規格化した光量としている。
【００４２】  図１９（ａ）のシミュレーション結果では、光源について実際のシミュレーションに用いた直径を用いてプロットした。これを、図１９（ａ）の横軸である中心からの距離を、光源領域の半径（発光ダイオード２を配置する領域の半径）で除することにより、横軸の規格化を行った。なお、図１８（ａ）〜（ｇ）に示されるように、光源領域の半径は、１周の場合１０ｍｍ、２周の場合２０ｍｍ、３周の３０ｍｍ、４周の場合４０ｍｍ、５周の場合５０ｍｍ、６周の場合６０ｍｍ、７周の場合７０ｍｍである。
【００４３】  横軸の規格化を行ったシミュレーション結果を図１９（ｂ）に示す。図１９（ｂ）に示すように、発光ダイオードの使用数にかかわらず、光量がピーク値の６０％となる距離（中心からの距離／光源領域の半径）はほぼ一定となっていることが分かる。
【００４４】  同様に、配光角を１４０°とした場合のシミュレーション結果を図２０（ａ）に示し、その横軸を規格化したグラフを図２０（ｂ）に示す。図２０（ｂ）に示すように、配光角を１４０°とした場合には、規格化された光量と距離（中心からの距離／光源領域の半径）との関係がほぼ一致することが分かる。
【００４５】  以上より、ＬＥＤピッチが一定である場合には、使用する発光ダイオード２の数は、照射面３の光量の均一性に寄与しないことが分かった。換言すれば、本実施の形態による評価は、使用する発光ダイオード２の数によらず有効であることが分かった。
【００４６】（より望ましい条件）
以上のシミュレーション結果をまとめると、照射面３での光量の均一性をより向上させるためには、以下の（１），（２）のいずれかの条件を満たすことが望ましいといえる。
【００４７】（１）各発光ダイオードの配光角が５０°未満であり、かつ、各発光ダイオード２から照射面３までの光学的距離Ｄが２００ｍｍ以下であり、かつ、ＬＥＤピッチが８．５ｍｍ以上２０ｍｍ未満である。
【００４８】（２）各発光ダイオードの配光角が８０°より大きく、かつ、各発光ダイオード２から照射面３までの光学的距離Ｄが８０ｍｍ以上であり、かつ、ＬＥＤピッチが８．５ｍｍ以上２０ｍｍ以下である。
【００４９】（実施の形態の作用及び効果）
以上説明したように、本実施の形態に係る光源装置１は、複数の発光ダイオード２を平面上に配列した装置であって、各発光ダイオード２の配光角が、５０°未満、あるいは８０°より大きい。これにより、照射面３での光量の均一性を向上させることが可能になる。
【００５０】  以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５１】  本発明は、その趣旨を逸脱しない範囲で適宜変形して実施することが可能である。例えば、上記実施の形態では、各発光ダイオード２の配光角が一定であると仮定してシミュレーションを行ったが、発光ダイオード２の配光角が一定であることは必須ではない。
【００５２】  また、上記実施の形態では、照射面３の位置（発光ダイオード２から照射面３までの光学的距離Ｄ）を規定したが、対象物への光の照射は、照射面３を含んだ位置で行われていればよく、例えば、照射面３の前後の領域においても対象物への光の照射が行われていてもよい。一例として、流水に発光ダイオード２からの紫外光を照射して殺菌（あるいは細菌の不活化）を行う場合、設定した照射面３の前後においても流水に紫外光が照射されることになるが、このような場合も本発明に含まれる。この例では、設定したある照射面３において紫外光の光量を均一にすることで、殺菌のもれを抑制することが可能になる。光源装置１の用途は、殺菌用途に限定されず、例えば、紫外線硬化樹脂を硬化させる樹脂硬化装置や、可視光を照射する照明等にも適用することができる。
【００５３】  上記実施の形態では、複数の発光ダイオード２が周方向及び径方向に等間隔に配置する場合について説明したが、必ずしも発光ダイオード２を等間隔に配置することは必須ではなく、上記実施の形態で述べたように、照射面３での光量の均一性を維持できる範囲で発光ダイオードのピッチを適宜変化させても構わない。また、発光ダイオード２は全体として円形状に配置されている必要はなく、例えば全体として矩形状に配置されていてもよい。
【符号の説明】
【００５４】１…光源装置
２…発光ダイオード
３…照射面
【図１】
2020061344.tif 000003
【図２】
2020061344.tif 000004
【図３】
2020061344.tif 000005
【図４】
2020061344.tif 000006
【図５】
2020061344.tif 000007
【図６】
2020061344.tif 000008
【図７】
2020061344.tif 000009
【図８】
2020061344.tif 000010
【図９】
2020061344.tif 000011
【図１０】
2020061344.tif 000012
【図１１】
2020061344.tif 000013
【図１２】
2020061344.tif 000014
【図１３】
2020061344.tif 000015
【図１４】
2020061344.tif 000016
【図１５】
2020061344.tif 000017
【図１６】
2020061344.tif 000018
【図１７】
2020061344.tif 000019
【図１８】
2020061344.tif 000020
【図１９】
2020061344.tif 000021
【図２０】
2020061344.tif 000022